(57)【特許請求の範囲】
【請求項１】
ケースと、該ケース内に設置された複数の鍵からなる鍵盤とを有する本体部と、
前記ケースに対して前記鍵盤の上方を閉じる閉位置と該鍵盤の上方を開く開位置との間で移動可能となるように取り付けられた板状の蓋体と、
前記ケースにおける前記鍵盤の側部に配置した側壁部と、それに対向する前記蓋体における前記鍵の配列方向の端部とを連結してなる連結機構と、を備えた鍵盤楽器の蓋体開閉構造であって、
前記連結機構は、
一端が前記側壁部に設けた第１軸支部に軸支されており、他端が前記蓋体の前記端部に設けた第２軸支部に軸支されてなる長尺状の連結具と、
前記蓋体が前記閉位置と前記開位置との間を移動する際に、該蓋体の後端部が、前記本体部の前後方向へスライド移動するように構成したスライド機構と、を備え、
前記蓋体が前記閉位置から前記開位置へ移動する際に、該蓋体の後端部が前記鍵の長手方向を後側から前側に向かってスライド移動するように構成した
ことを特徴する鍵盤楽器の蓋体開閉構造。
【請求項２】
前記第２軸支部は、前記蓋体の前記端部における前記鍵盤側を向く内面に設けられている
ことを特徴とする請求項１に記載の鍵盤楽器の蓋体開閉構造。
【請求項３】
前記第１軸支部は、前記第２軸支部よりも前記本体部の前側に近い位置に配置されている
ことを特徴とする請求項１又は２に記載の鍵盤楽器の蓋体開閉構造。
【請求項４】
前記側壁部は、前記ケースにおける前記鍵盤の両側それぞれに設けた一対の側壁部であり、
前記連結機構は、前記一対の側壁部それぞれと前記蓋体における前記鍵の配列方向の両側の端部それぞれとの間を連結してなる一対の前記連結具を備え、
前記スライド機構は、前記一対の側壁部の上端面に離間可能な状態で当接する前記蓋体の前記後端部が、該一対の側壁部の上端面に摺接する構成である
ことを特徴とする請求項１乃至３のいずれか１項に記載の鍵盤楽器の蓋体開閉構造。
【請求項５】
前記蓋体が前記開位置にある状態で、前記連結具に当接してその移動を停止させるストッパ部を備え、
前記開位置における前記蓋体は、その後端部が前端部よりも前記本体部の前側に位置するように傾斜した状態で、該本体部の上面に立設される
ことを特徴とする請求項１乃至４のいずれか１項に記載の鍵盤楽器の蓋体開閉構造。
【請求項６】
前記スライド機構は、前記側壁部と前記蓋体とのいずれか一方に設けた前記本体部の前後方向に延びる凹部と、前記側壁部と前記蓋体とのいずれか他方に設けた凸部とを備え、前記凹部に対して前記凸部が摺動可能な状態で嵌合した機構である
ことを特徴する請求項１乃至３のいずれか１項に記載の鍵盤楽器の蓋体開閉構造。
【請求項７】
前記連結具と前記本体部との間に、前記蓋体を前記開位置へ移動する方向に付勢するような付勢力を生じる弾性部材を取り付けた
ことを特徴する請求項１乃至６のいずれか１項に記載の鍵盤楽器の蓋体開閉構造。
【請求項８】
前記第１軸支部と前記第２軸支部の少なくともいずれか、又は前記スライド機構には、前記本体部又は前記蓋体と前記連結具との相対的な回動に対する抵抗力を発生する抵抗力発生部が設けられている
ことを特徴する請求項１乃至７のいずれか１項に記載の鍵盤楽器の蓋体開閉構造。
【発明の詳細な説明】
【技術分野】
【０００１】
本発明は、ケース内に設置した鍵盤の上面側を開閉する蓋体と、ケースに対して蓋体を移動可能に連結してなる連結機構とを備えた鍵盤楽器の蓋体開閉構造に関する。
【背景技術】
【０００２】
電子オルガンや電子ピアノをはじめとする各種の鍵盤楽器には、ケース内に設置した鍵盤の上面側を開閉するための鍵盤蓋（蓋体）を備えたものがある。このような鍵盤蓋を開閉する開閉機構の従来技術として、例えば、特許文献１に示す開閉機構がある。特許文献１に記載の開閉機構は、楽器本体と鍵盤蓋の後端部付近とをリンク部材によってそれぞれ回動自在に連結し、鍵盤蓋のそのリンク部材を軸支する位置から所定距離離れた位置にガイド当接部を設け、鍵盤蓋の開閉時にそのガイド当接部を楽器本体内に固設されたガイド部材の少なくとも２つの異なる湾曲面からなる第１，第２のガイド部に常に接触させながら移動させるように構成したものである。この開閉機構によれば、鍵盤蓋と楽器本体の天板の前端との隙間を最小限にでき、鍵盤蓋の後部を楽器本体内に収納するために必要な回動スペースも少なくすることができる。
【先行技術文献】
【特許文献】
【０００３】
【特許文献１】特公平７−３８１０６号公報
【発明の概要】
【発明が解決しようとする課題】
【０００４】
しかしながら、特許文献１に記載の鍵盤蓋の開閉構造では、楽器本体内に蓋体の後端部を収納するためのスペースを確保する必要がある。そのため、楽器本体の小型化の妨げになるおそれがあった。また、楽器本体内に蓋体を収容するように構成したことで、蓋体と本体部との間に設けた連結機構の部品点数の増加、構造の煩雑化などにつながるおそれがあった。
【０００５】
これに対して、鍵盤蓋の開閉構造の他の構成例として、一枚板状の鍵盤蓋の後端部が楽器本体に対して回動自在に取り付けられた構成のものがある。この回動式の鍵盤蓋は、一枚の板状の部材なので比較的安価に製造できるうえ、開蓋時に楽器本体上に立設されるので、楽器本体内に蓋体を収納するためのスペースを確保する必要がない。
【０００６】
しかしながら、この鍵盤蓋の開閉構造では、一枚板状の鍵盤蓋がその後端部を支点として先端側が上下方向に回動するようになっている。そのため、蓋体の開閉時に重心の移動量が大きいことで、蓋体の開閉操作が行い難くかったり、蓋体の姿勢が急激に変化することで、蓋体の後端部と楽器本体との間に手などを挟んだりするおそれがあった。
【０００７】
本発明は上述の点に鑑みてなされたものであり、その目的は、簡単かつコンパクトな構成で、蓋体の開閉時の重心移動を少なく抑えることができ、蓋体の開閉操作が行い易く、かつ、開蓋時の鍵盤楽器の外観を良好にすることができる鍵盤楽器の蓋体開閉構造を提供することにある。
【課題を解決するための手段】
【０００８】
上記課題を解決するための本発明は、ケース（１０）と、該ケース（１０）内に設置された複数の鍵（５ａ，５ｂ）からなる鍵盤（５）とを有する本体部（２）と、前記ケース（１０）に対して前記鍵盤（５）の上方を閉じる閉位置と該鍵盤（５）の上方を開く開位置との間で移動可能となるように取り付けられた板状の蓋体（２０）と、前記ケース（１０）における前記鍵盤（５）の側部に配置した側壁部（６）と、それに対向する前記蓋体（２０）における前記鍵（５ａ，５ｂ）の配列方向の端部（２０ｄ）とを連結してなる連結機構（３０）と、を備えた鍵盤楽器の蓋体開閉構造であって、前記連結機構（３０）は、一端（３１ａ）が前記側壁部（６）に設けた第１軸支部（３３）に軸支されており、他端（３１ｂ）が前記蓋体（２０）の前記端部（２０ｄ）に設けた第２軸支部（３５）に軸支されてなる長尺状の連結具（３１）と、前記蓋体（２０）が前記閉位置と前記開位置との間を移動する際に、該蓋体（２０）の後端部（２０ａ）が前記本体部（２）の前後方向へスライド移動するように構成したスライド機構（４０，４０−２）と、を備え、前記蓋体（２０）が前記閉位置から前記開位置へ移動する際に、該蓋体（２０）の後端部（２０ａ）が前記鍵（５ａ，５ｂ）の長手方向を後側から前側に向かってスライド移動するように構成したことを特徴とする。また、この場合、前記第１軸支部（３３）は、前記蓋体（２０）における前記鍵（５ａ，５ｂ）の配列方向の端部（２０ｄ）において、前記鍵盤（５）側を向く内面（２０ｃ）に設けられているとよい。
【０００９】
本発明にかかる鍵盤楽器の蓋体開閉構造によれば、一端が側壁部に設けた第１軸支部に軸支されており、他端が蓋体の端部に設けた第２軸支部に軸支されてなる長尺状の連結具と、蓋体が閉位置と開位置との間を移動する際に、該蓋体の後端部が本体部の前後方向へスライド移動するように構成したスライド機構と、を備え、蓋体が閉位置から開位置へ移動する際に、該蓋体の後端部が鍵の長手方向を後側から前側に向かってスライド移動するように構成した。これにより、鍵盤楽器の本体部と蓋体とを連結する連結機構の部品点数を少なく抑えた簡単な機構としながらも、開閉時の蓋体の重心移動を少なく抑えることができるので、開閉時に蓋体の姿勢が急激に変化することを防止でき、蓋体の開閉操作が行い易くなる。
【００１０】
またこの場合、前記第１軸支部（３３）は、前記第２軸支部（３５）よりも前記本体部（２）の前側に近い位置に配置されているとよい。この構成によれば、連結機構のコンパクト化を図りながら、閉位置と開位置との間での蓋体の移動をよりスムーズに行わせることができるようになる。
【００１１】
また、この鍵盤楽器の蓋体開閉構造では、前記側壁部（６）は、前記ケース（１０）における前記鍵盤（５）の両側それぞれに設けた一対の側壁部（６，６）であり、前記連結機構（３０，３０）は、前記一対の側壁部（６，６）それぞれと前記蓋体（２０）における前記鍵（５ａ，ｂ）の配列方向の両側の端部（２０ｄ，２０ｄ）それぞれとの間を連結してなる一対の前記連結具（３１，３１）を備え、前記スライド機構（４０）は、前記一対の側壁部（６，６）の上端面（６ａ，６ａ）に離間可能な状態で当接する前記蓋体（２０）の前記後端部（２０ａ）が、該一対の側壁部（６，６）の上端面（６ａ，６ａ）に摺接する構成であってよい。
【００１２】
この構成によれば、側壁部の上端面と蓋体の後端部とでスライド機構を構成したことで、スライド機構による蓋体のスムーズな開閉動作を可能としながらも、スライド機構の専用部品を要しないことで開閉機構の部品点数を少なく抑えることができ、鍵盤楽器の構成の簡素化、低コスト化を図ることができる。
【００１３】
また、上記の鍵盤楽器の蓋体開閉構造では、前記蓋体（２０）が前記開位置にある状態で、前記連結具（３１）に当接してその移動を停止させるストッパ部（３７）を備え、前記開位置における前記蓋体（２０）は、その後端部（２０ａ）が前端部（２０ｂ）よりも前記本体部（２）の前側に位置するように傾斜した状態で、該本体部（２）の上面に立設されるようにするとよい。
【００１４】
この構成によれば、蓋体が開位置にある状態で、ストッパ部が連結具に当接してその移動を停止させることで、蓋体を開位置で確実に停止させることができ、蓋体の開閉動作が安定する。また、開位置で蓋体の後端部と側壁部の上端面とが離間しないように規制することができる。これにより、蓋体が開位置で後方に倒れることを防止できる。また、蓋体の後端部と側壁部の上端面との間に指などを挟む可能性を低減することができる。
【００１５】
またこの場合、蓋体は、その開位置で、後端部が前端部よりも本体部の前側に位置するように傾斜した状態で該本体部の上面に立設されるので、蓋体を開位置で安定的に停止させておくことが可能となる。したがって、開位置の蓋体が不用意に閉位置の方へ移動して閉じてしまうことをより確実に防止できる。
【００１６】
また、上記の鍵盤楽器の蓋体開閉構造では、前記スライド機構（４０−２）は、前記側壁部（６）と前記蓋体（２０）とのいずれか一方に設けた前記本体部（２）の前後方向に延びる凹部（４３ａ）と、前記側壁部（６）と前記蓋体（２０）とのいずれか他方に設けた凸部（４５ａ）とを備え、前記凹部（４３ａ）に対して前記凸部（４５ａ）が摺動可能な状態で嵌合した機構であってよい。
【００１７】
この構成によれば、凹部に凸部が嵌合していることで、側壁部に対する蓋体のスライド移動において、凹部と凸部が互いに離間することなくスライドする。したがって、蓋体が移動する際に側壁部の上端面と蓋体の後端部との間隔が変化せずに済む。これにより、蓋体のよりスムーズな開閉動作を実現できる。また、蓋体を開閉する際に側壁部の上端面と蓋体の後端部との間に指などを挟むことを防止できる。さらに、側壁部と蓋体とを連結している連結具にねじれやゆがみが生じることを防止できる。
【００１８】
また、上記の鍵盤楽器の蓋体開閉構造では、連結具（３１）と本体部（２）との間に、蓋体（２０）を開位置へ移動する方向に付勢するような付勢力を生じる弾性部材（６０）を取り付けてもよい。この構成によれば、蓋体を開位置へ移動させるために必要な力が小さくて済むので、蓋体を開け易くなる。また、鍵盤楽器の開閉動作において蓋体が急激に移動することを防止できるので、蓋体の開閉動作を安定させることができるようになる。また、万一、蓋体と本体部との間に指などを挟んでしまった場合でも、挟まれる力を軽減することができるので、安全性が向上する。
【００１９】
また、上記の鍵盤楽器の蓋体開閉構造では、第１軸支部（３３）と第２軸支部（３５）の少なくともいずれか、又はスライド機構（４０−２）の凹部（４３ａ）と凸部（４５ａ）との間には、本体部（２）又は蓋体（２０）と連結具（３１）との相対的な回動に対する抵抗力を発生する抵抗力発生部（３２，４６，４７）が設けられているとよい。
【００２０】
この構成によれば、本体部又は蓋体と連結具との相対的な回動に対する抵抗力によって、蓋体の開閉動作がゆっくりとしたものとなるので、蓋体と楽器本体との間に指などを挟むことをより効果的に防止できるようになる。また、蓋体の開閉動作において、蓋体が急激に移動することを防止できるので、蓋体の開閉動作を安定させることができる。
なお、上記の括弧内の符号は、後述する実施形態の対応する構成要素の符号を本発明の一例として示したものである。
【発明の効果】
【００２１】
本発明にかかる鍵盤楽器の蓋体開閉構造によれば、簡単かつコンパクトな構成で、蓋体の開閉時の重心移動を少なく抑えることで、蓋体の開閉操作を行い易くでき、かつ、開蓋時の鍵盤楽器の外観を良好にすることができる。
【図面の簡単な説明】
【００２２】
【図１】本発明の第１実施形態にかかる蓋体開閉構造を備えた鍵盤楽器の全体構成例を示す斜視図である。
【図２】第１実施形態にかかる蓋体開閉構造の詳細構成を示す図で、鍵盤楽器の側断面図である。
【図３】蓋体が閉位置と開位置との間で移動する際の動作を説明するための図である。
【図４】本発明の第２実施形態にかかる蓋体開閉構造を備えた鍵盤楽器の全体構成例を示す斜視図である。
【図５】第２実施形態にかかる蓋体開閉構造の詳細構成を示す図で、（ａ）は、本体部の一方の側部を示す部分拡大斜視図、（ｂ）は、（ａ）のＸ部分を示す部分拡大図である。
【図６】蓋体が閉位置から開位置へ移動する際の動作を説明するための図である。
【図７】スライド機構に設けた摩擦部の構成例を示す図である。
【図８】本発明の第３実施形態にかかる蓋体開閉構造の詳細構成を示す図で、鍵盤楽器の側断面図である。
【図９】本発明の第４実施形態にかかる蓋体開閉構造を示す図で、鍵盤楽器の側断面図である。
【図１０】第４実施形態にかかる蓋体開閉構造の詳細構成を示す図で、鍵盤楽器における本体部の一方の側部を示す部分拡大斜視図である。
【発明を実施するための形態】
【００２３】
以下、添付図面を参照して本発明の実施形態を詳細に説明する。
〔第１実施形態〕
図１及び図２は、本発明の第１実施形態にかかる蓋体開閉構造を備えた鍵盤楽器１の全体構成例を示す斜視図である。また、図２は、第１実施形態にかかる蓋体開閉構造の詳細構成を示す図で、鍵盤楽器１の側断面図である。なお、図２（ａ）は、後述する蓋体２０が開位置にある状態を示しており、（ｂ）は、蓋体２０が閉位置にある状態を示している。本実施形態の鍵盤楽器１は、ケース１０と、該ケース１０内に設置された鍵盤５とを有する本体部２と、該本体部２のケース１０に取り付けられた蓋体（鍵盤蓋）２０とを備えている。なお、以下の説明では、横方向又は幅方向というときは、鍵盤５の各鍵５ａ，５ｂが配列された左右方向を示し、前又は後というときは、鍵盤５の手前側（演奏者側）又は奥側を示すものとする。
【００２４】
鍵盤５は、横方向に沿って配列された複数の黒鍵５ａと白鍵５ｂとを有している。鍵盤５を収容しているケース１０は、鍵盤５の左右両側それぞれを覆う一対の側板（側壁部）６，６と、鍵盤５の前側を覆う前板７と、後側を覆う後板８と、底側を覆う底板９とで囲まれており、全体が横長の略直方体状に形成されている。ケース１０の上面側は、鍵盤５の上面が露出する開口になっている。そして、蓋体２０は、ケース１０に対して該開口を完全に閉じる閉位置と、該開口を完全に開く開位置との間で移動可能となるように取り付けられている。この蓋体２０は、一対の側板６，６の上端面６ａ，６ａに載置された状態で開口を塞ぐ一枚板状の部材であり、その外形は、ケース１０の外形に沿う横長の長方形状になっている。蓋体２０の内面（下面）２０ｃにおける前端近傍には、前板７の上方で鍵盤５の前面を覆う蓋前（蓋前板）２１が取り付けられている。なお、上記では、側板６，６は、その側面視の形状が方形状であって、上端面６ａ，６ａが本体部２の後方から前方に向かって略水平（すなわち、鍵盤５の演奏面及び鍵５ａ，５ｂの長手方向と略平行）な形状である場合を示したが、これ以外にも、詳細な図示は省略するが、側板６，６は、その側面視の形状が略台形状であって、その上端面６ａ，６ａが本体部２の後方から前方に向かって下降するように傾斜する傾斜平面状に形成されていてもよい。
【００２５】
また、鍵盤５の両側部を覆う一対の側板６，６それぞれと、それらに対向する蓋体２０の左右両側の端部２０ｄ，２０ｄそれぞれとの間には、本体部２に対して蓋体２０を移動可能に連結してなる連結機構３０が設けられている。本実施形態の鍵盤楽器１では、連結機構３０，３０は、一対の側板６，６それぞれと蓋体２０における鍵５ａ，５ｂの配列方向両側の端部２０ｄ，２０ｄそれぞれとの間に取り付けた一対の連結具３１，３１を有している。一対の連結具３１，３１は、互いが左右対称な形状及び取付構造を有している。なお、ここでいう蓋体２０の端部２０ｄとは、蓋体２０の幅方向における両側の端面とその近傍の内面２０ｃや外面を含む部分（各図において点線で囲んだ部分及びその近傍）を示すものである。
【００２６】
図２に示すように、連結具３１は、長尺板状の部材であり、その長手方向の一方の端部３１ａが側板６の内側面６ｃに設けた第１軸支部３３に軸支されており、他方の端部３１ｂが蓋体２０の端部２０ｄにおいて、該蓋体２０の鍵盤５側を向く内面２０ｃに設けられた第２軸支部３５に軸支されている。第１軸支部３３は、側板６の内側面６ｃに対して、連結具３１の一方の端部３１ａを本体部２の幅方向を軸方向とする回転軸周りで回転自在に支持（リンク支持）している。また、第２軸支部３５は、蓋体２０の内面２０ｃに対して、連結具３１の他方の端部３１ｂを蓋体２０の幅方向を軸方向とする回転軸周りで回転自在に支持（リンク支持）している。具体的には、第１軸支部３３は、側板６の内側面６ｃに固定したトルク発生型の軸受３２で連結具３１の端部３１ａを軸支している。トルク発生型の軸受３２については、後述する。また、第２軸支部３５は、蓋体２０の内面２０ｃにネジで固定した取付板３４に設けた支持片３４ａで連結具３１の端部３１ｂを軸支している。
【００２７】
連結具３１は、その長手方向が第１軸支部３３から第２軸支部３５に向かって延びる細板状で、第１軸支部３３と第２軸支部３５との中間の部分が平面内で略「く」字型に屈曲する屈曲部３１ｃになっている。この連結具３１は、その面を側板６の内側面６ｃと平行にして、屈曲部３１ｃの内側を上方に向けた状態で取り付けられている。また、第１軸支部３３は、第２軸支部３５よりも下側かつ前側（本体部２の下側かつ前側）に配置されている。
【００２８】
また、第１軸支部３３に設置したトルク発生型の軸受３２は、その詳細な図示及び構造の説明は省略するが、例えば、内部に作動油が充填された筒状のハウジングと、該ハウジング内に回転自在に嵌合する回転部材とを備えて構成され、作動油の油圧による摺動抵抗によって回転部材の回転に対する制動力が作用するように構成された回転ダンパ機構（オイルダンパ機構）を用いることができる。このような回転ダンパ機構からなるトルク発生型の軸受３２として、例えば、特開２００１‐３４９３６４号公報や特開２００８−１８５２１５号公報などに開示された構造の軸受を用いることが可能である。なお、上記のトルク発生型の軸受３２は、本体部２又は蓋体２０と連結具３１との相対的な回動に対する抵抗力を発生する抵抗力発生部として機能する部品である。
【００２９】
軸受３２は、上記のオイルダンパ機構に代えて、軸回りに設置した複数の樹脂部品の摺動により摩擦力を発生する回転ダンパ機構（回転摩擦機構）であってもよい。そして、この回転摩擦機構は、一方への回転においてのみ大きな摩擦力を発生し、なおかつ、回転速度が大きければ大きい程、大きな摩擦力を発生するダンパ機構（これを「ワンウェイクラッチ機構」）ともいう。）を用いてよい。そして、このようなダンパ機構を用いる場合は、蓋体２０を開位置から閉位置へ向けて移動させる方向で大きな摩擦力を発生するように設置すれば、閉位置へ移動する蓋体２０の動きがゆっくりとしたものになるので、蓋体２０を閉じる際に蓋体２０と側板６の上端面６ａとの間に指などを挟むおそれを低減できる。
【００３０】
また、本実施形態の蓋体開閉構造は、蓋体２０が閉位置と開位置との間を移動する際に、該蓋体２０の後端部２０ａが側板６の上端面６ａ（本体部２の上面）に沿ってスライド移動するように構成したスライド機構４０を備えている。スライド機構４０は、側板６の上端面６ａと蓋体２０の後端部２０ａとで構成されており、側板６の上端面６ａに離間可能な状態で当接している蓋体２０の後端部２０ａが、側板６の上端面６ａに対して前後方向に摺接する構成である。ここで、側板６の上端面６ａは、白鍵５ｂ及び黒鍵５ａの長手方向及び鍵盤５の演奏面（上面）と略平行に本体部２の前後方向へ延びている。したがって、蓋体２０が閉位置から開位置へ移動する際に、上記のスライド機構４０によって、該蓋体２０の後端部２０ａが鍵５ａ，５ｂの長手方向を後側から前側に向かって（鍵盤５の演奏面と略平行に）移動するようになっている。なお、ここでいう鍵盤５の演奏面とは、演奏者が指で触れる鍵５ａ、５ｂの上面側を含む概略の水平面を指すものであって、鍵盤５の態様によっては鍵５ａ，５ｂの上面が本体部２の前後方向で若干傾斜している場合もあるが、そのような場合においても鍵盤５の上面側を含む概略の水平面を指すものとする。
【００３１】
また、蓋体２０が開位置にある状態で、連結具３１の移動を停止させるためのストッパ部３７が設けられている。ストッパ部３７は、側板６の内側面６ｃに立設した棒状の係止具（ピン）３７ａを備えている。係止具３７ａは、側板６の内側面６ｃからその軸方向が横方向（水平方向）に突設している。そして、蓋体２０が完全に開いた開位置で係止具３７ａが連結具３１の屈曲部３１ｃに当接することで、第１軸支部３３を中心とする連結具３１の回動がその位置で規制されるようになっている。
【００３２】
また、蓋体２０の内面２０ｃには、譜面受け５１が取り付けられている。譜面受け５１は、細板状の部材からなり、蓋体２０の後端部２０ａの内面２０ｃにおいて、幅方向の中央に取り付けられている。譜面受け５１は、蓋体２０側の端辺が蓋体２０の内面２０ｃに対して軸部５１ａで回動自在に支持されている。軸部５１ａは、本体部２の横方向（幅方向）に延びる軸を中心に譜面受け５１を回動自在に支持している。これにより、譜面受け５１は、軸部５１ａを中心にその面が蓋体２０の内面２０ｃに沿うように畳まれた閉位置と、その面が蓋体２０の内面２０ｃに対して略直交するように開かれた開位置との間で回動自在になっている。
【００３３】
一方、本体部２のケース１０内における鍵盤５の後側には、板状のパネル部材５５が設置されている。また、パネル部材５５の後端とケース１０の後板８の上端との間には、これらの隙間を塞ぐための隠し板５６が取り付けられている。パネル部材５５は、鍵盤５の後側の上面を覆うパネル面５５ｂを有している。パネル面５５ｂは、本体部２の前後方向で若干湾曲しながら傾斜する傾斜湾曲面状であり、蓋体２０の内面２０ｃに取り付けた譜面受け５１に対応する部分に配置されている。そして、後述するように、蓋体２０が鍵盤５の上面側を閉じる閉位置へ移動する際、譜面受け５１の先端部５１ｂがパネル面５５ｂに当接することで、譜面受け５１が自動的に折り畳まれるようになっている。
【００３４】
また、図１に示すように、パネル部材５５は、その幅方向の両端部が側板６，６の内側面６ｃ，６ｃに固定されている。そして、図５（ｂ）に示すように、パネル部材５５の幅方向の両端部（図５（ｂ）では一方のみ図示）には、側板６の内側面６ｃとの間に連結具３１を挿通させるための切込部５５ｃが形成されている。これにより、連結具３１は、切込部５５ｃを介してパネル部材５５の下側から上方に突出し、その先の端部３１ｂが蓋体２０の内面２０ｃに連結されている。
【００３５】
図３は、蓋体２０が閉位置と開位置との間で移動する際の動作を説明するための図である。なお、図３では、連結具３１及びストッパ部３７など蓋体２０の開閉動作に関連する主要な部品のみを図示している。以下、図３及び先の図２を用いて、上記構成の蓋体開閉構造による蓋体２０の開閉動作について説明する。まず、図２（ｂ）に示す状態で、蓋体２０がケース１０における鍵盤５の上方を完全に閉じた閉位置にある。この状態では、蓋体２０の両端部２０ｄ，２０ｄの内面２０ｃが側板６，６の上端面６ａ，６ａに載置されている。この状態から蓋体２０の前端部２０ｂを上方に持ち上げると、図３（ａ），（ｂ），（ｃ）の順で蓋体２０が回動して、ケース１０における鍵盤５の上方が開かれてゆく。このとき、第１軸支部３３を支点に連結具３１の第２軸支部３５が前側に向かって回動すると共に、蓋体２０の後端部２０ａが側板６の上端面６ａに沿って後方から前方へスライド移動する。これにより、蓋体２０は、第２軸支部３５を支点に前端部２０ｂが上方に回動する。そして、最終的には、図３（ｄ）及び図２（ａ）に示すように、連結具３１がストッパ部３７の係止具３７ａに当接する位置で、連結具３１及び蓋体２０の動作が停止する。この位置で、蓋体２０が完全に開かれた開位置となる。この開位置では、本体部２の上面に立設された蓋体２０は、その後端部２０ａが前端部２０ｂよりも若干前側に位置しており、その内面２０ｃが下から上に向かって若干後方に傾斜した状態となっている。
【００３６】
一方、図２（ａ）及び図３（ｄ）に示す開位置にある蓋体２０の前端部２０ｂを手前側に引くと、蓋体２０が閉位置に向かって移動する。この場合は、上記とは逆に、図３（ｃ），（ｂ），（ａ）の順で蓋体２０が回動して、ケース１０における鍵盤５の上方が閉じられてゆく。このとき、第１軸支部３３を支点に連結具３１の第２軸支部３５が後側に向かって回動すると共に、蓋体２０の後端部２０ａが側板６の上端面６ａに沿って前方から後方へスライド移動する。これにより、蓋体２０は、第２軸支部３５を支点に前端部２０ｂが下方に回動する。そして、最終的には、図２（ｂ）に示すように、蓋体２０の端部２０ｄ、２０ｄの内面２０ｃが、側板６，６の上端面６ａ，６ａに載置された状態で、蓋体２０が鍵盤５の上方を完全に閉じた閉位置となる。
【００３７】
なお、図３（ａ）に示す状態から図２（ｂ）に示す状態へ移行する間に、蓋体２０の自重によって連結機構３０に作用する負荷が大きくなる。そのため、上記の範囲で軸受３２に発生する摩擦力が大きくなるように設定することが望ましい。このような設定の軸受３２としては、前述の樹脂部材の摺動で摩擦力を発生する回転摩擦機構を用いるか、前述のワンウェイクラッチ機構を用いるとよい。
【００３８】
本実施形態の蓋体開閉構造は、その一方の端部３１ａが側板６に設けた第１軸支部３３に軸支されており他方の端部３１ｂが蓋体２０の内面２０ｃに設けた第２軸支部３５に軸支されてなる長尺板状の連結具３１と、蓋体２０が閉位置と開位置との間を移動する際に、該蓋体２０の後端部２０ａが本体部２の前後方向へスライド移動するように構成したスライド機構４０とを備えている。そして、蓋体２０が閉位置から開位置へ移動する際に、該蓋体２０の後端部２０ａが鍵５ａ，５ｂの長手方向を後側から前側に向かってスライド移動するようになっている。これにより、鍵盤楽器１の本体部２と蓋体２０とを連結する連結機構３０の部品点数を少なく抑えた簡単な機構としながらも、開閉時の蓋体２０の重心移動を少なく抑えることができるので、開閉時に蓋体２０の姿勢が急激に変化することを防止でき、蓋体２０の開閉操作が行い易くなる。
【００３９】
また、本実施形態の連結機構３０では、第１軸支部３３は、第２軸支部３５よりも本体部２の前側に近い位置に配置されている。この構成によって、連結機構３０のコンパクト化を図りながら、閉位置と開位置との間での蓋体２０の移動をよりスムーズに行わせることができる。
【００４０】
また、本実施形態の蓋体開閉構造では、ケース１０における鍵盤５の両側それぞれに設けた一対の側板６，６を備え、連結機構３０は、当該一対の側板６，６それぞれと蓋体２０の両方の端部２０ｄ，２０ｄそれぞれとの間を連結してなる一対の連結具３１，３１であり、スライド機構４０は、一対の側板６，６の上端面６ａ，６ａに離間可能な状態で当接する蓋体２０の後端部２０ａ，２０ａが、該一対の側板６，６の上端面６ａ，６ａに摺接する構成である。
【００４１】
このように、側板６の上端面６ａと蓋体２０の後端部２０ａとでスライド機構４０を構成したことで、スライド機構４０による蓋体２０のスムーズな開閉動作を可能としながらも、スライド機構４０の専用部品を要しないことで、連結機構３０の部品点数を少なく抑えることができ、鍵盤楽器１の構成の簡素化、低コスト化を図ることができる。
【００４２】
また、本実施形態の蓋体開閉構造では、蓋体２０が開位置にある状態で、連結具３１に当接してその移動を停止させるストッパ部３７（係止具３７ａ）を備えている。そして、開位置における蓋体２０は、その後端部２０ａが前端部２０ｂよりも本体部２の前側に位置するように傾斜した状態で該本体部２の上面に立設されている。
【００４３】
このように、蓋体２０が開位置にある状態で、ストッパ部３７の係止具３７ａが連結具３１に当接してその移動を停止させることで、蓋体２０を開位置で確実に停止させることができ、蓋体２０の開閉動作が安定する。また、開位置で蓋体２０の後端部２０ａと側板６の上端面６ａとが離間しないように規制することができる。これにより、蓋体２０が開位置で後方に倒れることを防止できる。また、蓋体２０の後端部２０ａと側板６の上端面６ａとの間に指などを挟んだりすることを防止できる。
【００４４】
またこの場合、蓋体２０は、その開位置で、後端部２０ａが前端部２０ｂよりも本体部２の前側に位置するように傾斜した状態で該本体部２の上面に立設されるので、蓋体２０を開位置で安定的に停止させておくことが可能となる。したがって、開位置の蓋体２０が不用意に閉位置の方へ移動して閉じてしまうことをより確実に防止できる。
【００４５】
〔第２実施形態〕
次に、本発明の第２実施形態について説明する。なお、第２実施形態の説明及び対応する図面においては、第１実施形態と同一又は相当する構成部分には同一の符号を付し、以下ではその部分の詳細な説明は省略する。また、以下で説明する事項以外の事項については、第１実施形態と同じである。この点は、他の実施形態においても同様である。
【００４６】
図４は、本発明の第２実施形態にかかる蓋体開閉構造を備えた鍵盤楽器１−２の全体構成例を示す斜視図である。また、図５は、第２実施形態にかかる蓋体開閉構造の詳細構成を示す図で、（ａ）は、本体部２の一方の側部を示す部分拡大斜視図、（ｂ）は、（ａ）のＸ部分を示す部分拡大図である。
【００４７】
本実施形態の蓋体開閉構造では、第１実施形態の蓋体開閉構造が備えていた側板６の上端面６ａに蓋体２０の後端部２０ａが摺接する構成のスライド機構４０に代えて、図５（ｂ）に示すように、側板６側に設けた直線状のガイド溝（凹部）４３ａを有するガイド部材４３と、蓋体２０側に設けたスライド突起（凸部）４５ａを有するスライド部材４５とを備え、ガイド溝４３ａにスライド突起４５ａが摺動可能な状態で嵌合してなるスライド機構４０−２を備えている。
【００４８】
ガイド部材４３とスライド部材４５は、いずれも表面が滑らかな合成樹脂製の成型品などからなる。そして、ガイド部材４３は、側板６の内側面６ｃに取り付けた略矩形状の部材である。ガイド溝４３ａは、断面が略コ字型の溝部であり、その長手方向が鍵５ａ，５ｂの長手方向に沿って略水平に本体部２の前後方向に延びている。一方、スライド部材４５は、蓋体２０に固定した取付板３４に対して回動自在に取り付けられており、蓋体２０の開閉動作に伴い本体部２の前後方向に移動するようになっている。スライド突起４５ａは、ガイド溝４３ａ内にスライド自在に嵌合する断面が略コ字型の突起である。ガイド溝４３ａは、蓋体２０が閉位置から開位置まで移動する際の全域でスライド突起４５ａを嵌合させる長さ寸法を有している。
【００４９】
図６は、本実施形態の蓋体開閉構造において、蓋体２０が閉位置から開位置へ移動する際の動作を説明するための図である。なお、同図では、閉位置から開位置へ移動する際の蓋体２０の軌跡を連続的に図示している。まず、同図の閉位置（Ａ）にある蓋体２０の前端部２０ｂを上方に持ち上げると、蓋体２０が回動して鍵盤５の上方が開かれてゆく。このとき、第１軸支部３３を支点に連結具３１の第２軸支部３５が前側かつ上側に向かって回動すると共に、図５（ｂ）に示すスライド機構４０−２のスライド突起４５ａがガイド溝４３ａに沿って本体部２の後側から前側に向かって水平にスライド移動することで、蓋体２０の後端部２０ａが側板６の上端面６ａに沿って後方から前方へスライド移動する。これにより、蓋体２０は、第２軸支部３５を支点に前端部２０ｂが上方に回動する。そして、最終的には、連結具３１がストッパ部３７の係止具３７ａに当接する位置で、連結具３１及び蓋体２０の動作が停止する。この位置で、蓋体２０が完全に開かれた開位置（Ｂ）となる。この閉位置（Ｂ）では、第１実施形態と同様、蓋体２０の後端部２０ａが前端部２０ｂよりも若干前側に位置しており、蓋体２０の内面２０ｃが下から上に向かって後方に若干傾斜した状態になっている。
【００５０】
一方、図６の開位置（Ｂ）にある蓋体２０の前端部２０ｂを手前側に引くと、蓋体２０が閉位置（Ａ）に向かって移動して、ケース１０における鍵盤５の上方が閉じられてゆく。このとき、第１軸支部３３を支点に連結具３１の第２軸支部３５が後側かつ下側に向かって回動すると共に、蓋体２０の後端部２０ａが側板６の上端面６ａに沿って前方から後方へスライド移動する。これにより、蓋体２０は、第２軸支部３５を支点に前端部２０ｂが下方に回動する。そして、最終的に、蓋体２０の内面２０ｃの両端部２０ｄ，２０ｄが側板６，６の上端面６ａ，６ａに載置された状態で、蓋体２０が鍵盤５の上方を完全に閉じた閉位置（Ａ）となる。
【００５１】
このように、本実施形態の蓋体開閉構造では、図５などに示すように、側板６に設置したガイド溝（凹部）４３ａを有するガイド部材４３と、蓋体２０に設置したスライド突起（凸部）４５ａを有するスライド部材４５とで構成したスライド機構４０−２を備えている。このスライド機構４０−２は、ガイド溝４３ａにスライド突起４５ａが嵌合していることで、これらが互いに離間することなくスライド移動する構成である。これにより、蓋体２０のよりスムーズな開閉動作を実現できる。また、蓋体２０が閉位置と開位置との間で移動する際に、側板６の上端面６ａと蓋体２０の後端部２０ａとの間隔が常に一定に保たれるので、それらの間に指などを挟むことを効果的に防止できる。さらに、側板６と蓋体２０とを連結している連結具３１にねじれやゆがみが生じることも防止できる。
【００５２】
図７は、スライド機構４０−２に抵抗力発生部を設けた場合の構成例を示す図である。本実施形態のスライド機構４０−２には、蓋体２０の移動に対する抵抗力を発生するための抵抗力発生部として、図７（ａ）に示すように、ガイド部材４３のガイド溝４３ａの内面に形成した摩擦面４６ａ，４６ｂを設けることができる。摩擦面４６ａ、４６ｂは、ガイド部材４３の前後両端部４３ｃ，４３ｄ及びその近傍におけるガイド溝４３ａの内面に設けられており、ガイド溝４３ａの表面に粗加工を施した面である。この摩擦面４６ａ、４６ｂを設けた部分では、それ以外の部分と比較してスライド突起４５ａの摺動抵抗が大きくなるように設定されている。
【００５３】
また、抵抗力発生部の他の構成例として、図７（ｂ）に示すように、ガイド溝４３ａの内面をスライド方向に沿って若干傾斜させてなる傾斜面４７ａ，４７ｂを設けることができる。傾斜面４７ａ、４７ｂは、ガイド溝４３ａの上下内面間の幅寸法をガイド部材４３の両端部４３ｃ，４３ｄに近付くにつれて次第に狭小化させた面である。この傾斜面４７ａ、４７ｂを設けた部分では、それ以外の部分と比較して、スライド突起４５ａが通過するガイド溝４３ａの幅寸法が小さくなっていることで、スライド突起４５ａの摺動抵抗が大きくなるように設定されている。
【００５４】
これら摩擦面４６ａ，４６ｂ又は傾斜面４７ａ、４７ｂは、蓋体２０の閉位置に対応するガイド部材４３の後端部４３ｄに設けた摩擦面４６ａ又は傾斜面４７ａと、蓋体２０の開位置に対応するガイド部材４３の前端部４３ｃに設けた摩擦面４６ｂ又は傾斜面４７ｂとの少なくともいずれか、あるいはこれらの両方を備えるとよい。その場合、蓋体２０の閉位置と開位置との中間に対応する箇所には、摩擦面４６又は傾斜面４７を設けないようにする。これにより、蓋体２０の開閉時にその重さで操作者に大きな負荷が掛かる開位置及び閉位置とそれらの近傍のみで、蓋体２０の移動に対する抵抗力が発生するように構成できる。
【００５５】
本実施形態のスライド機構４０−２が備える摩擦面４６又は傾斜面４７からなる抵抗力発生部によれば、蓋体２０の開閉時に操作者に大きな負荷が掛かる開位置及び閉位置とそれらの近傍で、蓋体２０の移動に対する抵抗力を発生させることができるので、蓋体２０の操作者にかかる負荷を効果的に低減することができる。したがって、蓋体２０の開閉動作をより少ない力でスムーズに行えるようになる。また、蓋体２０と本体部２との隙間に指などを挟むことをさらに効果的に防止できると共に、万一、指などを挟んだ場合でも、挟まれる力を軽減できるようになる。なお、上記のスライド機構４０−２に設けた摩擦面４６又は傾斜面４７からなる抵抗発生部を備える場合は、トルク発生型の軸受３２は、その設置を省略することも可能である。
【００５６】
〔第３実施形態〕
次に、本発明の第３実施形態について説明する。図８は、本発明の第３実施形態にかかる蓋体開閉構造の詳細構成を示す図で、鍵盤楽器１−３の側断面図である。本実施形態の蓋体開閉構造では、連結具３１と本体部２との間に、蓋体２０を開位置へ移動する方向に付勢するような付勢力を生じるコイルバネ（弾性部材）６０を取り付けている。コイルバネ６０は、その一方の端部６０ａが連結具３１に取り付けられており、他方の端部６０ｂが側板６の内側面６ｃに取り付けられている。これにより、コイルバネ６０は、本体部２と連結具３１との間に張設されている。具体的には、連結具３１の第１軸支部３３側の端部３１ａは、屈曲部３１ｃを頂点とする略二等辺三角形状の底辺として形成されており、その底辺の一方の角部に第１軸支部３３が配置されており、他方の角部にコイルバネ６０の端部６０ａが取り付けられている。また、コイルバネ６０の連結具３１側の端部６０ａは、本体部２側の端部６０ｂよりも本体部２の前側の位置に固定されている。これにより、コイルバネ６０の引張力で蓋体２０を開位置へ移動する方向に連結具３１が付勢されるようになっている。
【００５７】
本実施形態の蓋体開閉構造では、蓋体２０が閉位置から開位置に移動する際と、開位置から閉位置に移動する際との両方において、コイルバネ６０の引張力で蓋体２０が開位置に向かう方向へ連結具３１が付勢される。これにより、トルク発生型の軸受３２による作用と相まって、本体部２と連結具３１との間及び蓋体２０と連結具３１との間の相対的な回動に対する抵抗力が生じることで、蓋体２０の開閉動作がゆっくりとしたものになる。したがって、蓋体２０と本体部２との間に指などを挟むことをより効果的に防止できるようになる。また、万一、蓋体２０と本体部２との間に指などを挟んだ場合でも、挟まれる力を軽減できるようになる。さらに、蓋体２０の開閉動作において、蓋体２０が急激に移動することを防止できるので、蓋体２０の開閉動作をより安定させることができる。
【００５８】
なお、コイルバネ６０の連結具３１に対する取付位置は、連結具３１における第１軸支部３３及び第２軸支部３５以外の位置で、かつ、蓋体２０を開位置へ移動する方向に付勢するような付勢力を生じる位置あれば、上記以外の位置であってもよい。
【００５９】
〔第４実施形態〕
次に、本発明の第４実施形態について説明する。図９及び図１０は、本発明の第４実施形態にかかる蓋体開閉構造を備えた鍵盤楽器１−４を示す図で、図９は、鍵盤楽器１−４の側断面図、図１０は、鍵盤楽器１−４における本体部２の一方の側部を示す部分拡大斜視図である。本実施形態の蓋体開閉構造では、第１実施形態の蓋体開閉構造が備えていた蓋体２０の内面２０ｃに取り付けた取付板３４に代えて、蓋体２０における幅方向の端面２０ｅに取り付けた他の取付板３８を備えており、この取付板３８を介して連結具３１の端部３１ｂが蓋体２０に対して軸支されている。すなわち、本実施形態の第２軸支部３５は、蓋体２０の幅方向の端面２０ｅに固定した取付板３８に設けた支持片（蓋板２０の端面２０ｅに取り付けた部分を除く蓋板２０の内面２０ｃ側への突出片）３８ａで連結具３１の端部３１ｂを軸支している。
【００６０】
また、第１実施形態では、蓋体２０が閉位置にある状態で、蓋体２０の両端部２０ｄ，２０ｄの内面２０ｃが側板６，６の上端面６ａ，６ａに載置されるように構成していたのに対して、本実施形態では、蓋体２０が閉位置にある状態で、蓋板２０の両端部２０ｄ，２０ｄの内面２０ｃが側板６，６の内側面６ｃ，６ｃに取り付けた蓋止板３９，３９の上端面３９ａ，３９ａに載置されるように構成している。なお、図９及び図１０では、一方の側板６及び蓋止板３９のみを図示している。
【００６１】
図１０に示すように、取付板３８は、細片状の板状部材であって、その根元側がネジ（図示せず）で蓋板２０における幅方向の端面２０ｅに固定されて、その先端側が蓋板２０の内面２０ｃ側に突出して連結具３１を軸支するための支持片３８ａを形成している。なお、図１０に示すものでは、蓋板２０の端面２０ｅに取付板３８用の凹部を形成し、この凹部内に取付板３８を固定している。これにより、取付板３８が蓋板２０の端面２０ｅから突出しないようにしている。これ以外にも、図示は省略するが、蓋板２０の端面２０ｅと側板６との間に若干の隙間を設けて、この隙間に取付板３８を配置することも可能である。なお、上記支持片３８ａの形状及び軸支構造は、第１実施形態の支持片３４ａと同様である。
【００６２】
一方、側板６の内側面６ｃに取り付けた蓋止板３９は、例えば側板６と同等の厚みを有する板状の部材であって、その上端面３９ａが平面状になっている。そして、上端面３９ａが側板６の上端面６ａに対して蓋板２０の厚み寸法分だけ低い位置で鍵５ａ，５ｂの長手方向に沿って延伸するように取り付けられている。蓋止板３９は、複数のネジ（図示せず）で側板６の内側面６ｃに固定されている。また、側板６の内側面６ｃと蓋止板３９との間には、連結具３１及び取付板３８の支持片３８ａを収容するための収容部３９ｂが形成されている。収容部３９ｂは、側板６の内側面６ｃと蓋止板３９に設けた窪みとの間に形成された矩形状の開口からなる。この収容部３９ｂは、蓋止板３９の下側から上側へ連結具３１を挿通させていると共に、蓋体２０が閉位置にある状態で取付板３８の支持片３８ａを収容するようになっている。なお、本実施形態の蓋体開閉構造では、上記の側板６と蓋止板３９とで本発明にかかる側壁部が構成されており、本発明における「側壁部の上端面」は、蓋止板３９の上端面３９ａがこれに該当する。
【００６３】
上記構成の蓋体開閉構造では、図９（ｂ）に示す状態で、蓋体２０がケース１０における鍵盤５の上方を完全に閉じた閉位置にある。この状態では、蓋体２０の端部２０ｄの内面２０ｃが蓋止板３９の上端面３９ａに載置されており、蓋板２０の外面（上面）２０ｇが側板６の上端面６ａと同一高さで連続した面となっている。
【００６４】
この状態から蓋体２０の前端部２０ｂを上方に持ち上げると、蓋体２０が回動して、ケース１０における鍵盤５の上方が開かれてゆく。このとき、第１軸支部３３を支点に連結具３１の第２軸支部３５側が前側に向かうように回動すると、蓋体２０の後端部２０ａが蓋止板３９の上端面３９ａ（詳細には、上端面３９ａの後側の一部）に沿って後方から前方へスライド移動する。これにより、蓋体２０は、第２軸支部３５を支点に前端部２０ｂが上方に回動する。そして、最終的には、図９（ａ）に示すように、連結具３１の中間部がストッパ部３７の係止具３７ａに当接し、連結具３１及び蓋体２０の動作が停止する。この位置で、蓋体２０が完全に開かれた開位置となる。
【００６５】
以上本発明の実施形態を説明したが、本発明は上記実施形態に限定されるものではなく、特許請求の範囲、及び明細書と図面に記載された技術的思想の範囲内において種々の変形が可能である。例えば、上記実施形態では、蓋体開閉構造を適用した鍵盤楽器１として、卓上型の鍵盤楽器を示したが、本発明にかかる蓋体開閉構造は、卓上型の鍵盤楽器以外にも、脚部を備えた自立型（大型）の鍵盤楽器などに適用することも可能である。
【００６６】
また、上記の各実施形態では、蓋板２０の幅方向の端部２０ｄに設けた第２軸支部３５は、蓋板２０の内面２０ｃにおける後端部２０ａ側、あるいは、蓋板２０の端面２０ｅにおける後端部２０ａ側に配置されている場合を示したが、第２軸支部３５は、蓋板２０の幅方向（鍵５ａ，５ｂの配列方向）の端部２０ｄに設けてさえいれば、上記実施形態に示す以外の場所に配置することも可能である。例えば、蓋板２０の内面２０ｃにおける後端部２０ａと前端部２０ｂの中間位置や、蓋板２０の端面２０ｅにおける後端部２０ａと前端部２０ｂの中間位置などに設けてもよい。
【００６７】
また、上記実施形態では、ケースの両側の側板６，６と蓋体２０の幅方向の両側の端部２０ｄ，２０ｄそれぞれとの間に連結機構３０、３０を設けた場合を示したが、本発明にかかる連結機構は、蓋体のスライド移動が可能であれば、蓋体における幅方向の一方の端部に対応するものだけを設けることも可能である。
【符号の説明】
【００６８】
１・・・鍵盤楽器、２・・・本体部、５・・・  鍵盤、６・・・  側板（側壁部）、６ａ・・・上端面、６ｃ・・・内側面、１０・・・ケース、２０・・・蓋体、２０ａ・・・後端部、２０ｂ・・・前端部、２０ｃ・・・内面（鍵盤５側の面）、２０ｄ・・・端部（鍵の配列方向の端部）、２０ｅ・・・端面、２０ｇ・・・外面、３０・・・連結機構、３１・・・連結具、３３・・・第１軸支部、３５・・・第２軸支部、３７・・・ストッパ部、４０・・・スライド機構、４３・・・ガイド部材、４３ａ・・・ガイド溝（凹部）、４５・・・スライド部材、４５ａ・・・スライド突起（凸部）、４６（４６ａ，４６ｂ）・・・摩擦面（抵抗力発生部）、４７（４７ａ，４７ｂ）・・・傾斜面（抵抗力発生部）、６０・・・コイルバネ（弾性部材）
【図１】
0005870520.tif 000002
【図２】
0005870520.tif 000003
【図３】
0005870520.tif 000004
【図４】
0005870520.tif 000005
【図５】
0005870520.tif 000006
【図６】
0005870520.tif 000007
【図７】
0005870520.tif 000008
【図８】
0005870520.tif 000009
【図９】
0005870520.tif 000010
【図１０】
0005870520.tif 000011